(57)【特許請求の範囲】
【請求項１】
モータ駆動のシャッタ機構；
別のモータ駆動の可動レンズ群；
上記シャッタ機構の開閉位置を検出するシャッタ用パルサー；及び、
可動レンズ群の光軸方向位置を検出するレンズ用パルサー；
を備え、
上記２つのパルサーはそれぞれ、上記各モータによって回転駆動される回転円板と、この回転円板と対をなすフォトセンサとを備え、
この２つのフォトセンサは、光軸方向から見て少なくとも一部がオーバラップするように配置されていることを特徴とするレンズシャッタ装置。
【請求項２】
請求項１に記載のレンズシャッタ装置において、２つのフォトセンサは、略Ｓ字状をした取付座に、反対方向に向けて配置されていることを特徴とするレンズシャッタ装置。
【請求項３】
請求項１または２に記載のレンズシャッタ装置において、２つの回転円板は、光軸方向の位置が異なっていることを特徴とするレンズシャッタ装置。
【発明の詳細な説明】
【０００１】
【発明の技術分野】
本発明は、レンズシャッタ装置に関する。
【０００２】
【従来技術及びその問題点】
２種の駆動機構の動作をそれぞれ検知するセンサを、例えばフォトインタラプタと、該駆動機構の動作に連動して回転する回転板とからなるエンコーダによって構成することができる。
【０００３】
そして、該２つのエンコーダを例えば同一のハウジング内に収納する場合、配置の仕方によっては、スペースを無駄に使用して装置の大型化を招くこととなる。
【０００４】
【発明の目的】
本発明は、このような問題意識に基づき、２種のエンコーダつまりパルサーを搭載する場合のスペースの効率化を図ることができるレンズシャッタ装置を提供することを目的としている。
【０００５】
【発明の概要】
上記目的を達成するための本発明は、モータ駆動のシャッタ機構；別のモータ駆動の可動レンズ群；上記シャッタ機構の開閉位置を検出するシャッタ用パルサー；及び、可動レンズ群の光軸方向位置を検出するレンズ用パルサーを備え、上記２つのパルサーはそれぞれ、上記各モータによって回転駆動される回転円板と、この回転円板と対をなすフォトセンサとを備え、この２つのフォトセンサは、光軸方向から見て少なくとも一部がオーバラップするように配置されていることを特徴としている。
【０００６】
上記２つのフォトセンサを、略Ｓ字状をした取付座に、反対方向に向けて配置することができ、また２つの回転円板を、光軸方向において位置を異ならせることができる。
【０００７】
【発明の実施の形態】
以下図示実施形態に基づいて本発明を説明する。この実施形態は、図２０に示すレンズシャッタ式ズームレンズカメラに本発明を適用したものであり、最初に、この図２０について、このズームレンズカメラの概念を説明する。レンズ構成は、前群レンズＬ１と後群レンズＬ２の２群である。
【０００８】
カメラ本体には、全体移動モータ制御手段６０、後群移動モータ制御手段６１、ズーム操作手段６２、シャッタレリーズ手段６３、測距装置６４、測光装置６５、及びＡＥモータ制御手段６６が設けられている。
【０００９】
全体移動モータ制御手段６０は、カメラボディに設けたズームレバー等のズーム操作手段６２が操作されたとき、全体移動モータ２５に対し、前群レンズＬ１と後群レンズＬ２からなるズームレンズをワイド側からテレ側に移動させるための移動指令、またはテレ側からワイド側に移動させるための移動指令を与える。撮影者によるズーム操作手段６２の操作によって、焦点距離が変更され、任意の焦点距離に設定される。ファインダ視野の像倍率は、ズーム操作手段６２による焦点距離変化に連動して変化される。よって撮影者は、ズーム操作手段６２の操作による焦点距離変化を、ファインダ視野の像倍率変化を観察することで知ることができる。また、ズーム操作手段６２の操作によって設定される焦点距離は、例えば、ＬＣＤ表示パネル（図示せず）に表示される数値により認識することができる。
【００１０】
全体移動モータ制御手段６０はまた、シャッタレリーズ手段６３が操作されたとき、後群移動モータ制御手段６１を介して駆動される後群移動モータ３０とともに全体移動モータ２５を駆動して、被写体にズームレンズを合焦させる。シャッタレリーズ手段６３は、レリーズボタンから構成されるもので、その一段押しで測距装置６４への測距指令と測光装置６５への測光指令を与え、二段押しで、合焦動作させるとともに、ＡＥモータ制御手段６６を介してＡＦ／ＡＥシャッタユニット２１のシャッタ２７を動作させる。シャッタ２７は、測光装置６５からの測光出力を受けて、そのシャッタ羽根２７ａを所定時間開放する。
【００１１】
ズーム操作手段６２は、操作されると、全体移動モータ２５を駆動して前群レンズＬ１と後群レンズＬ２を一体に移動させる。この移動と同時に後群移動モータ制御手段６１を介して後群移動モータ３０を動作させてもよいが、本ズームレンズカメラにおいて重要な点は、ズーム操作手段６２による前群レンズＬ１と後群レンズＬ２の移動は、焦点の位置を移動させることなく焦点距離を連続的に変化させる従来のズーミングの概念では行なわないということである。つまり、ズーム操作手段６２が操作されたとき、
▲１▼全体移動モータ２５のみを動作させて、前群レンズＬ１と後群レンズＬ２を両者の空気間隔を変化させることなく前後に移動させる態様、及び、
▲２▼全体移動モータ２５と後群移動モータ３０の双方を動作させて、前群レンズＬ１と後群レンズＬ２を両者の空気間隔を変化させながら移動させる態様、
とが可能である。
【００１２】
▲１▼の態様では、特定距離の被写体に常時ピントが合うことはあり得ないが、撮影光学系による像を観察する訳ではない本カメラのようなレンズシャッタ式カメラでは、シャッタレリーズ時にピントが合えばよいから全く問題がない。また、▲２▼の態様では、焦点位置の移動を許容しつつ、前群レンズＬ１と後群レンズＬ２を移動させ、シャッタレリーズ時に全体移動モータ２５と後群移動モータ３０の双方を動作させてピントを合わせる。
【００１３】
ズーム操作手段６２の操作に応じて上記▲１▼または▲２▼の何れかの制御態様を実行した後、ズーム操作手段６２によって設定される焦点距離の少なくとも一部の焦点距離域においてシャッタレリーズ手段６３が操作されたとき、全体移動モータ２５と後群移動モータ３０の双方を動作させて被写体に合焦させる。このときの全体移動モータ２５と後群移動モータ３０による前群レンズＬ１と後群レンズＬ２の移動量は、測距装置６４による被写体距離情報によって得られる移動量だけでなく、ズーム操作手段６２によって設定される焦点距離情報によって得られる移動量を加味して決定される。このように、シャッタレリーズ手段６３が操作されたとき、全体移動モータ２５と後群移動モータ３０の双方を動作させて合焦動作を行わせると、レンズ位置の制御に自由度が生れ、その制御が容易になる。
【００１４】
なお、理論的には、ズーム操作手段６２の操作時には、全体移動モータ２５と後群移動モータ３０のいずれも動作させずに単にファインダの視野倍率と焦点距離情報だけを変化させ、シャッタレリーズ手段６３が操作されたときに、その焦点距離情報と測距装置６４による被写体距離情報とにより全体移動モータ２５と後群移動モータ３０を同時に動作させて、その焦点距離情報と被写体距離情報によって一義的に決定される位置に前群レンズＬ１と後群レンズＬ２を移動させることもできる。
【００１５】
次に、主に図１８と図１９を用いて、上記概念のズームレンズ鏡筒を具体的にした実施形態を説明する。
本ズームレンズ鏡筒１０の概略構成と動作を最初に説明すると、前方から順に、第１移動鏡筒２０、第２移動鏡筒１９、第３移動鏡筒１６、及び固定鏡筒ブロック１２が備えられている。第３移動鏡筒１６は、固定鏡筒ブロック１２の筒状部に螺合され、回動とともに光軸方向に進退する。第３移動鏡筒１６は、光軸方向に一体に移動する、回転を規制された直進案内筒１７を内方に有し、第２移動鏡筒１９はこの直進案内筒１７に対して相対回転しながら光軸方向に進退する。第１移動鏡筒２０は、回転を規制されていて、第２移動鏡筒１９に対する相対回転により光軸方向に進退する。全体移動モータ２５は、固定鏡筒ブロック１２に固定され、ＡＥモータ２９と後群移動モータ３０を搭載したシャッタ取付台４０は、第１移動鏡筒２０に固定されている。前群レンズＬ１は、レンズ支持筒３４に支持された正のパワーを有するレンズであり、後群レンズＬ２は、レンズ支持筒５０に支持された負のパワーを有するレンズである。
【００１６】
カメラボディのアパーチャ板１４の前方に固定される固定鏡筒ブロック１２は、その筒状部の内周面に、雌ヘリコイド１２ａと、光軸Ｏと平行な複数の直進案内溝１２ｂとを有している。この複数の直進案内溝１２ｂの１つには、その底部に、所定のパターンを有するコード板１３ａが固定されている。このコード板１３ａは、固定鏡筒ブロック１２の外方に位置するフレキシブルプリント基板１３の一部として構成されている。アパーチャ板１４は、フィルムへの露光領域を決定するアパーチャ１４ａを有する。
【００１７】
固定鏡筒ブロック１２の筒状部には、径方向外方に膨出しかつ光軸方向に延びるギヤ収納部１２ｃが形成されている（図１６参照）。このギヤ収納部１２ｃには、光軸方向に長い駆動ピニオン１５が回転自在に収納されている。この駆動ピニオン１５はその軸７の両端部を、固定鏡筒ブロック１２に設けた支持孔４とギヤ支持板３１に設けた支持孔３１ａにそれぞれ回転自在に支持されている。この駆動ピニオン１５の歯面は、固定鏡筒ブロック１２の内周面に突出している。
【００１８】
固定鏡筒ブロック１２の内周には、第３移動鏡筒１６が螺合されている。この第３移動鏡筒１６は、内周面に、光軸方向に延びる複数の直進案内溝１６ｃを有し、後端部外周に、固定鏡筒ブロック１２の雌ヘリコイド１２ａと噛み合う雄ヘリコイド１６ａと、駆動ピニオン１５と噛み合う外周ギヤ１６ｂ（図１５参照）とを有している。駆動ピニオン１５は、第３移動鏡筒１６の光軸方向の全移動域において、この外周ギヤ１６ｂと噛み合う軸方向長さを有する。
【００１９】
第３移動鏡筒１６の内周には、直進案内筒１７が、この第３移動鏡筒１６と光軸方向に一体に移動可能かつ光軸回りに相対回転可能に支持されている。直進案内筒１７は、後部外周に、径方向外方に突出する複数の係合突起１７ｃを備えた後端フランジ部１７ｄと、この後端フランジ部１７ｄの前方にやや隙間を開けて設けた、該フランジ部１７ｄより小径の抜止フランジ部１７ｅとを有している。この抜止フランジ部１７ｅの周方向に、複数の切欠部１７ｆが形成されている。第３移動鏡筒１６は、後端部内周に、径方向内方に突出する複数の係合突起１６ｄ（図１８）を有し、この係合突起１６ｄを上記切欠部１７ｆから挿入して両フランジ部１７ｄ、１７ｅ間の隙間に位置させ、直進案内筒１７に対し相対回転することにより該直進案内筒１７と結合している。直進案内筒１７の後端面には、アパーチャ１４ａと略同形の開口２３ａを有するアパーチャ板２３が固定されている。係合突起１７ｃは、固定鏡筒ブロック１２の光軸Ｏと平行な直進案内溝１２ｂに摺動自在に係合されており、回転を規制されている。係合突起１７ｃの１つである係合突起１７ｃ′には、コード板１３ａと摺接してズーミング時の焦点距離に対応する信号を発生させるための接触端子９が固定されている。
【００２０】
直進案内筒１７にはまた、その内周面に、光軸Ｏと平行な複数の直進案内溝１７ａと、この案内筒１７の周壁を貫通しかつ円周方向及び光軸方向に対して傾斜する複数のリード溝１７ｂとが形成されている。
【００２１】
直進案内筒１７の内周には、第２移動鏡筒１９が嵌合されている。この第２移動鏡筒１９は、内周面に、リード溝１７ｂとは逆傾斜の複数のリード溝１９ｃを有し、後端部外周に、径方向外方に突出する複数の断面台形状のフォロア突起１９ａと、このフォロア突起１９ａ上に位置するフォロアピン１８とを有する。このフォロアピン１８は、リング部材１８ａと、このリング部材１８ａをフォロア突起１９ａ上に支持する中心固定ねじ１８ｂとからなっている。フォロア突起１９ａは、直進案内筒１７のリード溝１７ｂに摺動可能に嵌まり、フォロアピン１８は、第３移動鏡筒１６の直進案内溝１６ｃに摺動可能に嵌まる。よって、第３移動鏡筒１６が回転すると、第２移動鏡筒１９が回転しながら光軸方向に直進移動する。
【００２２】
第２移動鏡筒１９の内周には、第１移動鏡筒２０が嵌合されている。この第１移動鏡筒２０は、後端部外周に備えた複数のフォロアピン２４を、対応する内周リード溝１９ｃに係合させ、かつ直進案内部材２２により直進案内されている。この直進案内部材２２は、図１１と図１２に示すように、環状部２２ａと、この環状部２２ａから光軸方向に延びる一対の案内脚部２２ｂと、環状部２２ａの径方向外方に突出させた、直進案内溝１７ａに摺動自在に係合する複数の係合突起２８とを有し、第１移動鏡筒２０の内周面とＡＦ／ＡＥシャッタユニット２１の間に案内脚部２２ｂを直進案内可能に挿入している。
【００２３】
また直進案内部材２２の環状部２２ａは、第２移動鏡筒１９の後端部に、光軸方向に一体に移動可能かつ光軸回りに相対回転可能に結合されている。この直進案内部材２２は、後部外周に、径方向外方に突出する複数の係合突起２８を備えた後端フランジ部２２ｄと、この後端フランジ部２２ｄの前方にやや隙間を開けて設けた、該フランジ部２２ｄより小径の抜止フランジ部２２ｃを有し、この抜止フランジ部２２ｃの周方向に、複数の切欠部２２ｅを有している（図１１参照）。第２移動鏡筒１９は、後端部内周に、径方向内方に突出する複数の係合突起１９ｂ（図１８）を有し、この係合突起１９ｂを上記切欠部２２ｅから挿入して両フランジ部２２ｃ、２２ｄ間の隙間に位置させ、直進案内部材２２に対し相対回転することにより該直進案内部材２２と結合している。上記構成により、第１移動鏡筒２０は、第２移動鏡筒１９が正逆に回転するとき、回転を規制されたまま、該第２移動鏡筒１９に対して光軸方向前後に直進移動する。
【００２４】
この第１移動鏡筒２０の内周面には、３枚のシャッタ羽根２７ａ（図１）からなるシャッタ２７を備えたＡＦ／ＡＥシャッタユニット２１が嵌合固定されている。このＡＦ／ＡＥシャッタユニット２１は、シャッタ取付台４０の外周部に等角度間隔で形成した複数の固定孔４０ａ（図１３）を有している。上記複数のフォロアピン２４は、このＡＦ／ＡＥシャッタユニット２１の固定手段を兼ねており、第１移動鏡筒２０に形成したピン孔２０ａと、この固定孔４０ａに、このフォロアピン２４が嵌入固定されて、このシャッタユニット２１が第１移動鏡筒２０に固定されている（図１４参照）。フォロアピン２４は例えば接着、ねじ止め等の手段で固定できる。
【００２５】
ＡＦ／ＡＥシャッタユニット２１は、図１と図１９に示されるように、シャッタ取付台４０と、このシャッタ取付台４０の後部に固定されるシャッタ羽根支持環４６と、このシャッタ取付台４０に対して相対移動自在に支持されるレンズ支持筒５０（後群レンズＬ２）とを有している。このシャッタ取付台４０には、前群レンズＬ１とＡＥモータ２９と後群移動モータ３０が支持されている。このシャッタ取付台４０は、レンズ支持筒３４を挿通させる撮影開口４０ｄを備えた環状部と、この環状部から後方に向けて延出された３つの脚部４０ｂとを有している。この３つの脚部４０ｂ間の隙間のうち２箇所は、直進案内部材２２の一対の案内脚部２２ｂをそれぞれ摺動自在に係合させて移動ガイドする直進案内部４０ｃとして構成されている。
【００２６】
シャッタ取付台４０とこの取付台４０に固定したシャッタ羽根支持環４６の間に、上記シャッタ２７と、このシャッタ２７の３枚のシャッタ羽根２７ａを枢支する支持部材４７と、シャッタ羽根２７ａに回動力を付与する環状駆動部材４９とが位置している。環状駆動部材４９は、３枚のシャッタ羽根２７ａにそれぞれ係合する３つの操作突起４９ａを等角度間隔で備えている（図８参照）。シャッタ羽根支持環４６の前壁部には、その中心に撮影開口４６ａが形成され、この撮影開口４６ａの周囲に、円弧溝４６ｅと支持孔４６ｂとがそれぞれ等角度間隔で３つずつ形成されている。この３つの円弧溝４６ｅはそれぞれ、円形の撮影開口４６ａとの同心円に沿う円弧状に形成されている。シャッタ羽根押え環４６の外周部には、直進案内部４０ｃから露出して上記一対の案内脚部２２ｂの内周面を摺動自在に支持するための撓み規制面４６ｃが設けられている。
【００２７】
また、シャッタ羽根支持環４６の前方に位置する支持部材４７は、撮影開口４６ａに対向する撮影開口４７ａと、３つの支持孔４６ｂとそれぞれ対向する３つの軸部４７ｂ（図１に一箇所のみ示す）とを有している。３枚のシャッタ羽根２７ａはそれぞれ、一端部に、軸部４７ｂを挿通させる軸孔２７ｂを有し、他端部に、撮影開口４６ａ、４７ａを遮蔽する遮蔽部を有し、該一端部と他端部の間に、上記操作突起４９ａを挿通させる長孔２７ｃを有している。上記支持部材４７は、シャッタ羽根２７ａをそれぞれ支持した各軸部４７ｂを、シャッタ羽根支持環４６の対応する支持孔４６ｂに嵌合させた状態で、このシャッタ羽根支持環４６に固定されている。
【００２８】
環状駆動部材４９は、外周部に、ギヤ部４９ｂを有する。また支持部材４７は、３つの軸部４７ｂと近接する位置に、円周方向に沿う３つの円弧溝４７ｃを有している。環状駆動部材４９の上記３つの操作突起４９ａは、該３つの円弧溝４７ｃを貫通して、各シャッタ羽根２７ａの長孔２７ｃに係合している。シャッタ羽根支持環４６は、これら環状駆動部材４９、支持部材４７及びシャッタ２７を支持した状態でシャッタ取付台４０の後方側から挿入され、周縁部に設けたねじ孔４６ｄに挿通させた固定ねじ９０によって該シャッタ取付台４０に固定されている。
【００２９】
シャッタ羽根支持環４６の後方には、シャッタ取付台４０にスライドシャフト５１、５２を介して相対移動自在に支持されたレンズ支持筒５０が配置されている。シャッタ取付台４０とレンズ支持筒５０は、スライドシャフト５１に嵌合されたコイルばね３によって互いに離れる方向に移動付勢されており、これにより両者間のガタが除去されている。また、上記ギヤ列４２に備えられた駆動ギヤ４２ａは、軸方向の移動が規制されており、その内周に雌ねじが形成されている。この雌ねじに、レンズ支持筒５０に一端部を固定されたスクリューシャフト４３が螺合しており、これら駆動ギヤ４２ａとスクリューシャフト４３とにより送りねじ機構が構成されている。よって、後群移動モータ３０が回転駆動して駆動ギヤ４２ａが正逆いずれかに回転すると、スクリューシャフト４３がこの駆動ギヤ４２ａに対して進退し、レンズ支持筒５０つまり該支持筒５０に支持した後群レンズＬ２が前群レンズＬ１に対して相対移動する。
【００３０】
シャッタ取付台４０の前部には、このシャッタ取付台４０に支持した上記モータ２９、３０等を押える押え部材５３、５５がねじ止めされている。シャッタ取付台４０に一端部を固定された上記フレキシブルプリント基板６には、モータ２９、３０、及びフォトインタラプタ５６、５７が接続されている。第１〜第３移動鏡筒２０、１９、１６及びＡＦ／ＡＥシャッタユニット２１等を組立てた状態において、直進案内筒１７の後端面にアパーチャ板２３が固定され、また固定鏡筒ブロック１２の前端部に、環状の抜止め部材３３が嵌着されている。
【００３１】
ズームレンズ鏡筒１０最前方の第１移動鏡筒２０の前部には、一対ずつの従動バリヤ羽根４８ａと主動バリヤ羽根４８ｂを備えたバリヤ装置３５が設けられている。この第１移動鏡筒２０の前端部に固定される飾り板４１の裏面に環状プレート９６が固定され、この飾り板４１と環状プレート９６の間に両バリヤ羽根４８ａ、４８ｂが枢着されている。また、第１移動鏡筒２０の前端部においての該鏡筒２０の前端面２０ｂと裏板９６との間に、一対のバリヤ駆動レバー９８ａ、９８ｂを備えたバリヤ駆動環９７が回動自在に設けられている。このバリヤ駆動環９７は、後群移動モータ３０の回転を受けて回転駆動するバリヤ連結ギヤ９２によって正逆に回動され、バリヤ駆動レバー９８ａ、９８ｂを介して主動バリヤ羽根４８ｂを従動バリヤ羽根４８ａとともに開閉させる。
【００３２】
次に、本発明の特徴である、レンズシャッタ装置を図１〜図１０を用いて説明する。
【００３３】
本実施形態において、ズームレンズ鏡筒１０を有するズームレンズカメラでは、ＡＥモータ２９の回転を受けて駆動するシャッタ（シャッタ機構）２７による露出を制御するため、ＤＣモータ等の該ＡＥモータ２９の回転状態（回転数）を、周方向に所定間隔で設けた多数のスリットを有する回転板（回転円板）５８と、この回転板５８と対をなすフォトインタラプタ（フォトセンサ）５６とからなるＡＥモータ用エンコーダ１００によって検出（カウント）している。また、同ズームレンズカメラでは、後群移動モータ３０の回転を受けて駆動する後群レンズ（可動レンズ群）Ｌ２の駆動を制御するため、ＤＣモータ等の該後群移動モータ３０の回転状態を、周方向に所定間隔で設けた多数のスリットを有する回転板（回転円板）５９と、この回転板５９と対をなすフォトインタラプタ（フォトセンサ）５７とからなる後群移動モータ用エンコーダ１０１によって検出している。
【００３４】
本ズームレンズカメラでは、これらのＡＥモータ用エンコーダ１００と後群移動モータ用エンコーダ１０１をズームレンズ鏡筒１０に共に搭載してレンズシャッタ装置を構成しているが、部材の配置の仕方によってはスペースを無駄に取って、レンズ鏡筒１０を大型化させることに繋る。
【００３５】
そこで、本レンズシャッタ装置では、上述のシャッタ２７の開閉位置を検出するＡＥモータ用エンコーダ（シャッタ用パルサー）１００と、後群レンズＬ２の光軸方向位置を検出する後群移動モータ用エンコーダ（レンズ用パルサー）１０１とをそれぞれに構成する、回転板５８、５９とフォトインタラプタ５６、５７を、光軸方向から見て少なくとも一部がオーバラップするように配置して、その設置スペースを小さくしている。
【００３６】
ＡＥモータ２９の回転は、図２と図７に示す機構により、環状駆動部材４９と回転板５８に伝達される。この機構において、シャッタ取付台４０の環状部４０ｆの前壁に、ＡＥモータ２９がその回転軸に固定したピニオン２９ａを後壁側に突出させて固定されている。この環状部４０ｆの後壁と支持部材４７との間には、ピニオン２９ａを中心として同図上方側にＡＥギヤ列４５Ａが設けられ、下方側に、回転板５８の回転軸５８ｆにＡＥモータ２９の回転を伝えるエンコーダギヤ列４５Ｂが設けられている。このエンコーダギヤ列４５Ｂの最終ギヤであるダブルギヤ８９は、大径ギヤ８９ａと小径ギヤ８９ｂを有し、この小径ギヤ８９ｂを回転板５８の従動ギヤ５８ｄ（図３）に噛合させている。また、ＡＥギヤ列４５Ａの最終ギヤであるダブルギヤ８６は、大径ギヤ８６ａと小径ギヤ８６ｂを有し、この小径ギヤ８６ｂを、環状部４０ｆと支持部材４７間に回転可能に支持した環状駆動部材４９のギヤ部４９ｂに噛合させている。シャッタ取付台４０の環状部４０ｆの後壁に設けたばね支持突起（図示せず）に支持されたトーションばね８７（図１参照）により、環状駆動部材４９が図８の反時計方向（シャッタ２７の閉方向）に回動付勢されている。
【００３７】
後群移動モータ３０の回転は、図２と図５に示す機構により、スクリューシャフト４３と回転板５９に伝達される。この機構において、環状部４０ｆの前壁には、後群移動モータ３０が固定されている。この環状部４０ｆの前壁と後壁には、該モータ３０の回転軸に固定したピニオン３０ａを中心として同図上方側にレンズ駆動ギヤ列４２Ａが設けられ、下方側に、回転板５９の回転軸５９ｆに後群移動モータ３０の回転を伝えるエンコーダギヤ列４２Ｂが設けられている。また環状部４０ｆには、レンズ駆動ギヤ列４２Ａのさらに上方側に、バリヤ装置３５を開閉させるためのバリヤ開閉ギヤ列４２ｃが設けられている。
【００３８】
エンコーダギヤ列４２Ｂの最終ギヤであるダブルギヤ９４は、大径ギヤ９４ａと小径ギヤ９４ｂを有し、この小径ギヤ９４ｂを回転板５９の従動ギヤ５９ｄ（図３）に噛合させている。スクリューシャフト４３が螺合した上記駆動ギヤ４２ａは、レンズ駆動ギヤ列４２Ａの最終ギヤである。バリヤ開閉ギヤ列４２ｃの最終ギヤであるバリヤ連動ギヤ９２は、その正回転時にバリヤ装置３５を開放し、逆回転時にバリヤ装置３５を閉じる。
【００３９】
レンズ駆動ギヤ列４２Ａに備えられた遊星ギヤ９３ａと太陽ギヤ９３ｂからなる遊星歯車機構９３は、ズームレンズがレンズ収納位置とレンズ繰出位置とに移行するとき作動する切換カム部材１２０（図１参照）によって図５に示す位置と図６に示す位置に切り換えられる。図５の状態で後群移動モータ３０が正逆に回転駆動すると、バリヤ駆動環９７がバリヤ連動ギヤ９２を介して正逆に回動されて、バリヤ装置３５が開閉される。また、図６の状態で後群移動モータ３０が正逆に回転駆動すると、駆動ギヤ４２ａが正逆に回転されて、スクリューシャフト４３を介して後群レンズＬ２が前群レンズＬ１に対して相対移動される。
【００４０】
図７に示すように、回転板５８には、シャッタ２７が全閉状態のとき、フォトセンサ５６に対向して該フォトセンサ５６にオフの一定の信号を生成させるための遮光部５８ｔと、シャッタ２７が全閉状態から開いていくとき、フォトセンサ５６に対して移動して該フォトセンサ５６をオンしてパルス信号を生成させるための多数のスリット５８ｓとを有している。この多数のスリット５８ｓは、回転板５８の周方向に遮光部５８ｔに続けて等角度間隔で穿設されている。ＡＥモータ用エンコーダ１００では、シャッタ２７の駆動に連動する回転板５８が、フォトインタラプタ５６に対し、該シャッタ２７の全閉状態（図９）と全開状態（図１０）との間で１回転未満回転するように構成されている。
【００４１】
図５に示すように、回転板５９には、後群移動モータ３０の回転時にフォトセンサ５７に対して移動して該フォトセンサ５７をオンしてパルス信号を生成させるための多数のスリット５９ｓが、周方向に等角度間隔で穿設されている。後群移動モータ３０の回転駆動に連動する回転板５９は、主に後群レンズＬ２の移動位置を検出するべく、フォトインタラプタ５７に対して連続回転するように構成されている。
【００４２】
上記ＡＥモータ用エンコーダ１００と後群移動モータ用エンコーダ１０１は、図３に示すように配置されている。環状部４０ｆにおいてのダブルギヤ８９、９４に対応する位置には、略Ｓ字状の壁面で仕切られた上下方向の一対の取付空間９９ａ、９９ｂを備えた側面視略Ｓ字状の取付座８８が設けられている。この取付座８８は、環状部４０ｆから光軸前方に突出形成された互いに直交する壁面８８ａ、８８ｂ、８８ｃと、環状部４０ｆそのものの壁面４０ｆ′とからなっている。取付空間９９ａ、９９ｂに、フォトインタラプタ５６、５７が上下反対方向に向けた状態でそれぞれに固定され、これらフォトインタラプタ５６、５７の光軸方向位置が互いに異なっているため、ＤＣモータであるモータ２９、３０の光軸方向での長さ分のスペースに両インタラプタ５６、５７を収容することができた。
【００４３】
取付空間９９ａ内に固定されたフォトセンサ５６は、発光部と受光部を光軸方向に順に有し、下方に向いた接続端子５６ａを有している。取付空間９９ｂ内に固定されたフォトセンサ５７は、発光部と受光部を光軸方向に順に有し、上方に向いた接続端子５７ａを有している。
【００４４】
回転板５８は、光軸方向に長い回転軸５８ｆを有し、この回転軸５８ｆの一端部の突部５８ａが、シャッタ取付台４０の前部に固定した押え部材５３に回転自在に支持され、他端部の従動ギヤ５８ｄが、シャッタ取付台４０に設けた突起４０ｉに回転自在に支持されている。回転板５８は、フォトセンサ５６の発光部と受光部の間の隙間５６ｄに挿入されており、その回転時に、発光部から受光部に投光される光を断続的に遮光する。このとき生成される光パルス信号を受光部が受け取り、フレキシブルプリント基板６を介して、カメラボディ側に搭載した制御部７５（図１８）のＡＦモータ制御手段６６に送る。この制御部７５は、ＣＰＵ等を備えるもので、該ＡＦモータ制御手段６６を初め、上記全体移動モータ制御手段６０、後群移動モータ制御手段６１、測距装置６４及び測光装置６５等を含む。この制御部７５には、ズーム操作手段６２、シャッタレリーズ手段６３等が接続されている。
【００４５】
回転板５９は、光軸方向に長い回転軸５９ｆを有し、この回転軸５９ｆの一端部の突部５９ａが、シャッタ取付台４０の前部に固定した押え部材５３に回転自在に支持され、他端部の従動ギヤ５９ｄが、シャッタ取付台４０に設けた突起４０ｊに回転自在に支持されている。回転板５９は、フォトセンサ５７の発光部と受光部の間の隙間５７ｄに挿入されて、上記回転板５６との光軸方向の位置が異なっており、その回転時に、発光部から受光部に投光される光を断続的に遮光する。このとき生成される光パルス信号を受光部が受け取り、フレキシブルプリント基板６を介して制御部７５の後群移動モータ制御手段６１に送る。
【００４６】
このように、本シャッタ装置では、機能が互いに異なるＡＥモータ用と後群移動モータ用のエンコーダ１００、１０１のフォトインタラプタ５６、５７を、光軸方向から見て少なくとも一部がオーバラップするように配置したから、光軸方向から見たときの搭載時の必要面積を減少させることができた。例えば、２組のエンコーダを平面的に配置すると搭載時に要する面積は大きくなるが、本シャッタ装置のようにフォトインタラプタ５６、５７をオーバーラップさせて配置すると、ＤＣモータであるモータ２９、３０の光軸方向での長さ分のスペースを有効に活用することができ、ＡＦ／ＡＥシャッタユニット２１全体の径方向の小型化に寄与できる。
【００４７】
本実施形態では、前群レンズＬ１と後群レンズＬ２をそれぞれ、ＡＦ／ＡＥシャッタユニット２１の構成部材の１つとし、該ユニット２１に、ＡＥモータ２９と後群移動モータ３０を搭載している。この構成によると、前群レンズＬ１と後群レンズＬ２の支持構造及び駆動構造を単純化できるという利点があるが、前群レンズＬ１と後群レンズＬ２のうちの少なくとも一方を、シャッタ取付台４０、環状駆動部材４９、支持部材４７、シャッタ２７及びシャッタ羽根押え環４６等を備えたＡＦ／ＡＥシャッタユニット２１とは別部材とし、該ユニットとは別の支持部材に支持しても、本ズームレンズは成立する。
【００４８】
本ズームレンズカメラは、次のように作動する。ズームレンズ鏡筒１０が最も繰り込まれた図１８のレンズ収納状態において、図示しない電源スイッチをオンすると、全体移動モータ２５が正方向に若干量回転駆動する。すると、この回転が、支持部３２に支持されたギヤ列２６を介して駆動ピニオン１５に伝えられ、第３移動鏡筒１６が繰り出し方向に回転されるため、第２移動鏡筒１９と第１移動鏡筒２０が該第３移動鏡筒１６とともに光軸方向に若干量繰り出され、カメラはズームレンズをワイド端に位置させた撮影可能状態となる。
【００４９】
この撮影可能状態において、ズーム操作手段６２をテレ側に操作すると、全体移動モータ制御手段６０を介して全体移動モータ２５が正方向に回転駆動し、駆動ピニオン１５、外周ギヤ１６ｂを介して第３移動鏡筒１６を繰り出し方向に回転させる。したがって、この第３移動鏡筒１６が雌ヘリコイド１２ａと雄ヘリコイド１６ａの関係により固定鏡筒ブロック１２から繰り出され、同時に、直進案内筒１７が、係合突起１７ｃと直進案内溝１２ｂの関係によって固定鏡筒ブロック１２に対し相対回転しない状態で、該第３移動鏡筒１６とともに光軸前方に進出する。このとき第２移動鏡筒１９は、フォロアピン１８をリード溝１７ｂと直進案内溝１６ｃに同時に係合させていることにより、第３移動鏡筒１６と同方向に相対回転しながら該移動鏡筒１６に対して光軸前方に相対移動する。また第１移動鏡筒２０は、直進案内部材２２によって直進案内されかつフォロアピン２４をリード溝１９ｃによって移動ガイドされるため、固定鏡筒ブロック１２に対して相対回転しない状態で、第２移動鏡筒１９からＡＦ／ＡＥシャッタユニット２１とともに光軸前方に進出する。
【００５０】
ズームレンズ鏡筒１０がこのように駆動する間、後群移動モータ３０は駆動しないため、前群レンズＬ１と後群レンズＬ２は互いの距離を一定に保ったまま一体的に光軸方向に移動する（図１７参照）。ズーム操作手段６２によって設定される焦点距離は、表示手段（図示せず）によって表示される。
【００５１】
ズーム操作手段６２によって設定される任意の焦点距離において、レリーズボタンが一段押しされると、測距装置６４に測距指令が及び測光装置６５に測光指令が与えられて、測距及び測光が開始される。その後、レリーズボタンが二段押しされると、全体移動モータ２５と後群移動モータ３０の双方が、測距装置６４による被写体距離情報によって得られる移動量と、ズーム操作手段６２により設定される焦点距離情報によって得られる移動量とを加味して決定された移動量だけ前群レンズＬ１と後群レンズＬ２を移動させて設定焦点距離にするとともに被写体に合焦させ、ＡＥモータ制御手段６６を介してＡＥモータ２９が、測光装置６５からの被写体輝度情報に応じて環状駆動部材４９を回転駆動し、所定の露出を満たすようにシャッタ２７を駆動する。このシャッタレリーズの終了後、全体移動モータ２５と後群移動モータ３０の双方が直ちに駆動されて、前群レンズＬ１と後群レンズＬ２がシャッタレリーズ前の状態に戻される。
【００５２】
ズーム操作手段６２がワイド側に操作されると、全体移動モータ２５が逆方向に回転駆動し、第３移動鏡筒１６が繰り込み方向に回転されて、直進案内筒１７とともに固定鏡筒ブロック１２に繰り込まれる。同時に第２移動鏡筒１９が、第３移動鏡筒１６と同方向に回転しながら該移動鏡筒１６に対して繰り込まれ、第１移動鏡筒２０が、回転する第２移動鏡筒１９に対してＡＦ／ＡＥシャッタユニット２１とともに繰り込まれる。この繰込駆動時においても、後群移動モータ３０は、上述の繰出駆動時と同様、駆動しない。そしてズームレンズ鏡筒１０は、ズームレンズがワイド端位置に移動した後、電源スイッチが切られると、これに基づき回転駆動する全体移動モータ２５によって、図１８に示すレンズ収納位置に繰り込まれる。
【００５３】
【発明の効果】
以上のように本発明によれば、モータ駆動のシャッタ機構と、別のモータ駆動の可動レンズ群と、シャッタ機構の開閉位置を検出するシャッタ用パルサーと、可動レンズ群の光軸方向位置を検出するレンズ用パルサーとを備え、２つのパルサーはそれぞれ、各モータによって回転駆動される回転円板と、この回転円板と対をなすフォトセンサとを備え、この２つのフォトセンサは、光軸方向から見て少なくとも一部がオーバラップするように配置されているから、２種のパルサーを搭載する場合のスペースの効率化を図ることができる。
【図面の簡単な説明】
【図１】本発明を適用したズームレンズ鏡筒におけるＡＦ／ＡＥシャッタユニットの主要な部材を示す分解斜視図である。
【図２】同ＡＦ／ＡＥシャッタユニットにおける各ギヤ列の配置を示す斜視図である。
【図３】同ＡＦ／ＡＥシャッタユニットにおけるＡＥモータ用エンコーダと後群移動モータ用エンコーダの配置を示す側面断面図である。
【図４】同ＡＦ／ＡＥシャッタユニットにおけるＡＥモータ用エンコーダと後群移動モータ用エンコーダの配置を示す正面図である。
【図５】同ＡＦ／ＡＥシャッタユニットにおけるシャッタ取付台とレンズ駆動ギヤ列等の関係を示す正面図である。
【図６】同ＡＦ／ＡＥシャッタユニットにおけるシャッタ取付台とレンズ駆動ギヤ列等の関係を示す、図５と異なる状態の正面図である。
【図７】同ＡＦ／ＡＥシャッタユニットにおけるシャッタ取付台とＡＥギヤ列等の関係を示す正面図である。
【図８】同ＡＦ／ＡＥシャッタユニットにおけるシャッタ羽根押え環に組付けたシャッタを示す斜視図である。
【図９】同ＡＦ／ＡＥシャッタユニットにおけるシャッタの全閉状態を示す正面図である。
【図１０】同ＡＦ／ＡＥシャッタユニットにおけるシャッタの全開状態を示す正面図である。
【図１１】同ＡＦ／ＡＥシャッタユニットを直進ガイドする機構の要部を示す斜視図である。
【図１２】同ＡＦ／ＡＥシャッタユニットを直進ガイドする機構の要部を図１１と異なる状態で示す斜視図である。
【図１３】同ＡＦ／ＡＥシャッタユニットの主要な部材を示す分解斜視図である。
【図１４】同ＡＦ／ＡＥシャッタユニットを第１移動鏡筒に組付けた状態を示す斜視図である。
【図１５】本発明を適用したズームレンズ鏡筒における第３移動鏡筒を示す斜視外観図である。
【図１６】同ズームレンズ鏡筒の固定鏡筒ブロックを示す斜視外観図である。
【図１７】同ズームレンズ鏡筒の最大繰出状態を示す上半断面図である。
【図１８】同ズームレンズ鏡筒のレンズ収納状態における要部を示す上半断面図である。
【図１９】同ズームレンズ鏡筒全体を示す分解斜視図である。
【図２０】同ズームレンズ鏡筒の作動を制御する制御系を示すブロック図である。
【符号の説明】
２７  シャッタ（シャッタ機構）
２９  ＡＥモータ
３０  後群移動モータ
５６  ５７  フォトインタラプタ（フォトセンサ）
５８  ５９  回転板（回転円板）
５８ｆ  ５９ｆ  回転軸
８８  取付座
９９ａ  ９９ｂ  取付空間
１００  ＡＥモータ用エンコーダ（シャッタ用パルサー）
１０１  後群移動モータ用エンコーダ（レンズ用パルサー）
Ｌ２  後群レンズ（可動レンズ群）
Ｏ  光軸
【図１】
0003569375.tif 000002
【図２】
0003569375.tif 000003
【図３】
0003569375.tif 000004
【図４】
0003569375.tif 000005
【図５】
0003569375.tif 000006
【図６】
0003569375.tif 000007
【図７】
0003569375.tif 000008
【図８】
0003569375.tif 000009
【図９】
0003569375.tif 000010
【図１０】
0003569375.tif 000011
【図１１】
0003569375.tif 000012
【図１２】
0003569375.tif 000013
【図１３】
0003569375.tif 000014
【図１４】
0003569375.tif 000015
【図１５】
0003569375.tif 000016
【図１６】
0003569375.tif 000017
【図１７】
0003569375.tif 000018
【図１８】
0003569375.tif 000019
【図１９】
0003569375.tif 000020
【図２０】
0003569375.tif 000021